(57)【要約】【課題】受信機に、ワンセグ型エリア放送の受信/提示処理をより一層正常に行わせるための、伝送路符号化装置及び方法を提供する。【解決手段】ＯＦＤＭシンボルの生成タイミングの基準となる同期信号を発生し出力する同期信号発生部と、１周波数チャンネル中の中央の１セグメント以外のセグメントの伝送制御信号群の信号レベルを２つの異なる信号レベルに交互に変換する信号レベル変換部と、信号レベル変換部から出力された伝送制御信号群と中央の１セグメント用の信号とからOFDMフレームを構成するＯＦＤＭフレーム構成部とを備え、信号レベル変換部は、２つの異なる信号レベルのうち１つの信号レベルは第１の所定レベル以上となり、かつ、２つの異なる信号レベルの時間平均は第２の所定レベル以下となるように、２つの異なる信号レベルを決定する伝送路符号化装置。【選択図】図１
2014233033.tif 000002
【特許請求の範囲】
【請求項１】
１周波数チャンネルに含まれる１３セグメント中の、周波数軸上の中央の１セグメントのみを使用するワンセグ放送の送信装置に用いられる伝送路符号化装置であって、
ＯＦＤＭシンボルの生成タイミングの基準となる同期信号を発生し出力する同期信号発生部と、
前記同期信号に基づいて、放送対象の前記１３セグメント中の前記中央の１セグメント以外のセグメントである周辺セグメントの伝送制御信号群を入力として受け、前記伝送制御信号群の信号レベルを２つの異なる信号レベルに交互に変換して出力する信号レベル変換部と、
前記同期信号に基づいて、前記信号レベル変換部から出力された伝送制御信号群と前記中央の１セグメント用の信号とからOFDMフレームを構成し出力するＯＦＤＭフレーム構成部とを備え、
前記信号レベル変換部は、前記２つの異なる信号レベルのうち１つの信号レベルは第１の所定レベル以上となり、かつ、前記２つの異なる信号レベルの時間平均が第２の所定レベル以下となるように、前記２つの異なる信号レベルを決定することを特徴とする伝送路符号化装置。
【請求項２】
前記第１の所定レベルは、
１周波数チャンネルに含まれる１３セグメント全ての電波を受信することを想定し受信/提示処理を行う１３セグ想定受信機に於いて、ワンセグ型エリア放送の受信/提示処理が正常に行なえるようになる前記周辺セグメントの信号レベルの下限値であり、
前記第２の所定レベルは、
前記中央の１セグメント以外のセグメントの周波数帯を使用する別の放送に悪影響を与えないと規定した、周辺セグメントの信号レベルの上限値であることを特徴とする請求項１記載の伝送符号化装置。
【請求項３】
１周波数チャンネルに含まれる１３セグメント中の、周波数軸上の中央の１セグメントのみを使用するワンセグ放送の送信装置で実行される伝送路符号化方法であって、
ＯＦＤＭシンボルの生成タイミングの基準となる同期信号を発生し出力する同期信号発生ステップと、
前記同期信号に基づいて、放送対象の前記１３セグメント中の前記中央の１セグメント以外のセグメントである周辺セグメントの伝送制御信号群を入力として受け、前記伝送制御信号群の信号レベルを２つの異なる信号レベルに交互に変換して出力する信号レベル変換ステップと、
前記同期信号に基づいて、前記信号レベル変換部から出力された伝送制御信号群と前記中央の１セグメント用の信号とからOFDMフレームを構成し出力するＯＦＤＭフレーム構成ステップとを備え、
前記信号レベル変換ステップは、前記２つの異なる信号レベルのうち１つの信号レベルは第１の所定レベル以上となり、かつ、前記２つの異なる信号レベルの時間平均が第２の所定レベル以下となるように、前記２つの異なる信号レベルを決定することを特徴とする伝送路符号化方法。
【発明の詳細な説明】
【技術分野】
【０００１】
本発明は、送信技術に関し、特に所定の信号を送信する送信装置で使用される伝送路符号化装置および伝送路符号化方法に関する。
【背景技術】
【０００２】
地上デジタルテレビジョン放送の一つであるワンセグ放送は、一般社団法人電波産業会の「地上デジタルテレビジョン放送運用規定」（ＡＲＩＢ  ＴＲ−Ｂ１４）に従い、１周波数チャンネル（６ＭＨｚ帯域）に含まれる１３セグメント中の、周波数軸上の中央の１セグメント（以下、中央セグメント）のみを使用して行なわれている。なお、残りの１２セグメント（以下、周辺セグメント）は、ＨＤ（High Definition）テレビ放送などに使用されている。
【０００３】
さらに、２０１２年に策定された一般社団法人電波産業会の「エリア放送運用規定」（ＡＲＩＢ  ＴＲ−Ｂ３５）に従い、中央セグメントのみを使用し、周辺セグメントは他のＨＤテレビ放送などには使用しない（電波を送出しない）、ワンセグ型エリア放送が開始された。
【先行技術文献】
【非特許文献】
【０００４】
【非特許文献１】「エリア放送運用規定  ＡＲＩＢ  ＴＲ−Ｂ３５  １．１版」一般社団法人電波産業会，平成２４年９月２５日，「第２部 ワンセグ型エリア放送」
【発明の概要】
【発明が解決しようとする課題】
【０００５】
しかしながら、従来のワンセグ放送対応受信機の中には、周波数チャンネル中の１３セグメント全ての電波を受信することを想定し受信/提示処理を行う機種（以下、１３セグ想定受信機）が存在する。従って、このような１３セグ想定受信機ではワンセグ型エリア放送の受信/提示処理を正常に行なえないという問題がある。
【０００６】
本発明は上記の事情を鑑み、１３セグ想定受信機に対しても、ワンセグ型エリア放送の受信/提示処理をより一層正常に行わせることを可能とする、伝送路符号化装置及び伝送路符号化方法を提供することを目的とする。
【課題を解決するための手段】
【０００７】
上記課題を解決するために本発明は、下記の装置及び方法を提供するものである。
（１）１周波数チャンネルに含まれる１３セグメント中の、周波数軸上の中央の１セグメントのみを使用するワンセグ放送の送信装置に用いられる伝送路符号化装置（10）であって、
ＯＦＤＭシンボルの生成タイミングの基準となる同期信号を発生し出力する同期信号発生部（11）と、
前記同期信号に基づいて、放送対象の前記１３セグメント中の前記中央の１セグメント以外のセグメントである周辺セグメントの伝送制御信号群を入力として受け、前記伝送制御信号群の信号レベルを２つの異なる信号レベルに交互に変換して出力する信号レベル変換部（12）と、
前記同期信号に基づいて、前記信号レベル変換部から出力された伝送制御信号群と前記中央の１セグメント用の信号とからOFDMフレームを構成し出力するＯＦＤＭフレーム構成部（14）とを備え、
前記信号レベル変換部（12）は、前記２つの異なる信号レベルのうち１つの信号レベルは、第１の所定レベル以上となり、かつ、前記２つの異なる信号レベルの時間平均が第２の所定レベル以下となるように、前記２つの異なる信号レベルを決定することを特徴とする伝送路符号化装置。
（２）前記第１の所定レベルは、
１周波数チャンネルに含まれる１３セグメント全ての電波を受信することを想定し受信/提示処理を行う１３セグ想定受信機に於いて、ワンセグ型エリア放送の受信/提示処理が正常に行なえるようになる前記周辺セグメントの信号レベルの下限値であり、
前記第２の所定レベルは、
前記中央の１セグメント以外のセグメントの周波数帯を使用する別の放送に悪影響を与えないと規定した、周辺セグメントの信号レベルの上限値であることを特徴とする請求項１記載の伝送符号化装置。
（３）１周波数チャンネルに含まれる１３セグメント中の、周波数軸上の中央の１セグメントのみを使用するワンセグ放送の送信装置で実行される伝送路符号化方法であって、
ＯＦＤＭシンボルの生成タイミングの基準となる同期信号を発生し出力する同期信号発生ステップと、
前記同期信号に基づいて、放送対象の前記１３セグメント中の前記中央の１セグメント以外のセグメントである周辺セグメントの伝送制御信号群を入力として受け、前記伝送制御信号群の信号レベルを２つの異なる信号レベルに交互に変換して出力する信号レベル変換ステップと、
前記同期信号に基づいて、前記信号レベル変換部から出力された伝送制御信号群と前記中央の１セグメント用の信号とからOFDMフレームを構成し出力するＯＦＤＭフレーム構成ステップとを備え、
前記信号レベル変換ステップは、前記２つの異なる信号レベルのうち１つの信号レベルは、第１の所定レベル以上となり、かつ、前記２つの異なる信号レベルの時間平均が第２の所定レベル以下となるように、前記２つの異なる信号レベルを決定することを特徴とする伝送路符号化方法。
【発明の効果】
【０００８】
本発明によれば、１３セグ想定受信機に対しても、ワンセグ型エリア放送の受信/提示処理をより一層正常に行わせることが可能となる。
【図面の簡単な説明】
【０００９】
【図１】本発明の実施例に係る、伝送路符号化装置の構成図である。
【図２】電波スペクトルの概要図（その１）である。
【図３】電波スペクトルの概要図（その２）である。
【図４】電波スペクトルの概要図（その３）である。
【図５】本発明の実施例に係る、信号レベル変換部の処理の流れを示す図である。
【発明を実施するための形態】
【００１０】
［実施例］
図１は、本発明の実施例に係る伝送路符号化装置１０の構成を示した図である。伝送路符号化装置１０は、同期信号発生部１１、信号レベル変換部１２、伝送路符号化部Ａ１３、ＯＦＤＭフレーム構成部１４、伝送路符号化部Ｂ１５を含んで構成される。
【００１１】
同期信号発生部１１は、ＯＦＤＭシンボルの生成タイミングの基準となる同期信号を発生し、信号レベル変換部１２及びＯＦＤＭフレーム構成部１４に出力する。
【００１２】
信号レベル変換部１２は、予め定められた２つの信号レベル変換係数Ａ及びＢを記憶し、同期信号発生部１１から出力された同期信号に基づき、記憶している信号レベル変換係数Ａ及びＢを交互に読み出す。また、信号レベル変換部１２は、周辺セグメント用の伝送制御信号、パイロット信号、及び付加信号（以下、伝送制御信号群）を入力として受ける。そして、入力された伝送制御信号郡の信号レベルを、読み出した信号レベル変換係数Ａ又はＢに基づき変換し、変換後の伝送制御信号郡をＯＦＤＭフレーム構成部１４に出力する。
【００１３】
伝送路符号化部Ａ１３は、中央セグメントで伝送するワンセグ放送用のデータを入力として受ける。そして、入力されたデータに対し各種伝送路符号化処理（エネルギー拡散、遅延補正、畳み込み符号化、サブキャリア変調、時間インタリーブ及び周波数インタリーブ等）を行い、各種伝送路符号化処理した信号をＯＦＤＭフレーム構成部１４に出力する。ここで、ワンセグ放送用のデータとは、具体的には、映像及び音声等が多重化されたＴＳ（Transport Stream）である。
【００１４】
ＯＦＤＭフレーム構成部１４は、伝送路符号化部Ａ１３から出力された信号、中央セグメント用の伝送制御信号郡及び信号レベル変換部１２から出力された信号を入力として受ける。そして、入力された各信号を各サブキャリアに割当てOFDMフレームと呼ばれるブロックを構成し、伝送路符号化部Ｂ１５に出力する。なお、周辺セグメント用の、伝送制御信号郡以外の信号のサブキャリアへの割当ては行わない（当該サブキャリアの信号レベルを０とする）。なお、入力した各信号の各サブキャリアへの割当ては同期信号発生部１１からの同期信号に基づき行われる。
【００１５】
伝送路符号化部Ｂ１５は、ＯＦＤＭフレーム構成部１４から出力されたOFDMフレームを入力として受ける。そして、入力されたOFDMフレーム対し各種伝送路符号化処理（高速逆フーリエ変換、ガード・インターバル付加及び周波数変換等）を行い、ＯＦＤＭ伝送信号を生成し出力する。
【００１６】
次に、図２〜図４を参照しながら、伝送路符号化装置１０を使用したワンセグ型エリア放送の送信装置で放送する電波のスペクトルについて説明する。
【００１７】
ワンセグ型エリア放送では中央セグメントのみ使用するので、中央セグメント以外の電波は一切送出されないのが理想である。しかし現状の送出技術ではそれは困難である。従って、中央セグメント以外の周波数帯を使用する別の放送等に悪影響を与えない信号レベルに、中央セグメント以外の電波の信号レベルを抑えることが肝要となる。図２は、中央セグメント以外の周波数帯を使用する別の放送等に悪影響を与えないと規定した、周辺セグメントの信号レベルの上限値（ＥＰ１）を示す図である。なお、図２では、本発明の説明で必要となる、中央セグメント及びその周辺セグメントの周波数帯についてのみ示している。
【００１８】
一方、１３セグ想定受信機に於いて、ワンセグ型エリア放送の受信/提示処理が正常に行なえるようになる周辺セグメントの信号レベルの下限値（ＥＰ２）は、図３に示す様にＥＰ１よりも大きいことが想定される。この場合、図２に示された１周波数チャンネルの電波に対して１３セグ想定受信機は、ワンセグ型エリア放送の受信/提示処理を正常に行なえない。
【００１９】
前述した通り、信号レベル変換部１２は変換係数Ａ又はＢに基づいて周辺セグメントの信号レベルを変換する。図４は変換された信号レベルＥＰＡ及びＥＰＢを示す図である。図４に示す通り、信号レベル変換部１２は、ＥＰＡをＥＰ２以上となる様に、かつ、ＥＰＡとＥＰＢの時間平均（ＥＰａｖｅ）をＥＰ１以下となる様に変換する。
【００２０】
１３セグ想定受信機は、周辺セグメントの信号レベルがＥＰ２を時間平均では超えない電波でも、ある一定周期以内ではＥＰ２を超える電波であれば、受信/提示処理を正常に行なえることが想定される。伝送路符号化装置１０では、例えば１ＯＦＤＭシンボルの生成毎に電波の信号レベルを変化させることにより、ある一定周期以内にＥＰ２を超すようにしている。
【００２１】
また、ＥＰ１を一時的に超える電波でも、ある単位時間以下に於ける信号レベルの時間平均として超えない電波であれば、中央セグメント以外の周波数帯を使用する別の放送等に悪影響を与えることは無いと想定される。伝送路符号化装置１０では、上記の通り１ＯＦＤＭシンボルの生成毎に電波の信号レベルを変化させることにより、ある単位時間以下に於ける信号レベルの時間平均としてＥＰ１を超えないようにしている。
【００２２】
次に、図５に示すフローチャートを用いて、伝送路符号化方法の処理の流れの概要を説明する。まず最初に、同期信号発生部１１は同期信号を発生する（ステップＳ１）。次に、信号レベル変換部１２は、周辺セグメント用の伝送制御信号群を入力として受け（ステップＳ２）、記憶している変換係数Ａ及びＢの内の一つを選択し（ステップＳ３）、ステップＳ２で入力された伝送制御信号群の信号レベルをステップＳ３で選択された変換係数に基づき変換する（ステップＳ４）。次に、ＯＦＤＭフレーム構成部１４は、ステップＳ４で信号レベル変換された伝送制御信号群、中央セグメント用のデータ及び中央セグメント用の伝送制御信号群を入力として受け（ステップＳ５）、OFDMフレームを構成する（ステップＳ６）。なお、ステップＳ１〜Ｓ６は、ＯＦＤＭシンボルの生成タイミング毎に繰り返される。なお、ステップＳ１〜Ｓ６が２０４回繰り返される毎に、１つのOFDMフレームが完成する。
【００２３】
以上の説明の通り、伝送路符号化装置１０を使用したワンセグ型エリア放送送信装置によれば、１３セグ想定受信機に対しても、ワンセグ型エリア放送の受信/提示処理をより一層正常に行わせるための、伝送路符号化装置及び伝送路符号化方法を提供することができる。
【００２４】
なお、１３セグ想定受信機の中には、上述したＥＰＡとＥＰＢに大きな差があると、受信/提示処理を正常に行えない物も存在し得る。係る場合に備え、ＥＰＡとＥＰＢの差を出来るだけ小さくするという条件を信号レベル変換部１２に追加しても良い。
【００２５】
また、１３セグ想定受信機の中には、１３セグメント全体の信号レベルが変化すると、受信/提示処理を正常に行えない物も存在し得る。係る場合に備え、信号レベル変換部１２の処理として、例えば、現在のＯＦＤＭシンボルでは、周辺セグメントの内、奇数のセグメント番号を持つ周辺セグメントはＥＰＡの信号レベルに変換し、偶数のセグメント番号を持つ周辺セグメントはＥＰＢの信号レベルを変換する。次のＯＦＤＭシンボルでは、周辺セグメントの内、奇数のセグメント番号を持つ周辺セグメントはＥＰＢの信号レベルに変換し、偶数のセグメント番号を持つ周辺セグメントにはＥＰＡの信号レベルを変換する。前述の２つの処理を同期信号発生部からの同期信号に基づいて交互に切替え、１３セグメント全体での合計の信号レベルが常に等しくなるようにしても良い。
【００２６】
また、本実施例の説明では２つの信号レベルへ変換する例を示したが、３つ以上の信号レベルへ変換し実施することも可能である。
【００２７】
本発明は、上記した装置の機能を、コンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００２８】
１０： 伝送路符号化装置
１１： 同期信号発生部
１２：  信号レベル変換部
１３：  伝送路符号化部Ａ
１４：  ＯＦＤＭフレーム構成部
１５：  伝送路符号化部Ｂ
【図１】
2014233033.tif 000003
【図２】
2014233033.tif 000004
【図３】
2014233033.tif 000005
【図４】
2014233033.tif 000006
【図５】
2014233033.tif 000007